(57)【要約】【課題】インターネットを介して接続される接続先装置の通信接続管理情報を公開することなく、接続先装置への通信接続を実現することができる通信接続装置を実現する。【解決手段】接続先装置に固有の名称と該接続先装置に割り当てられているＩＰアドレスを対応付けて記憶する名前・アドレス記憶部１５と、接続元装置から接続要求された接続先装置の名称に基づいて名前・アドレス記憶部１５の該当するＩＰアドレスを取得する名前・アドレス解決部１４と、この取得したＩＰアドレスを使用して当該接続先装置との間で接続処理を行い、当該接続元装置に接続応答を返す変換部１３とを備えたことを特徴とする。【選択図】    図２
2004228670.tif 000002
【特許請求の範囲】
【請求項１】
第１のＩＰネットワークを介して通信接続する装置間の接続を中継する通信接続装置であって、
接続先装置に固有の名称と該接続先装置に割り当てられているＩＰアドレスを対応付けて記憶するアドレス記憶手段と、
接続元装置から接続要求された接続先装置の名称に基づいて前記アドレス記憶手段の該当するＩＰアドレスを取得するアドレス解決手段と、
前記アドレス解決手段により取得したＩＰアドレスを使用して当該接続先装置との間で接続処理を行い、当該接続元装置に接続応答を返す変換手段と、
を備えたことを特徴とする通信接続装置。
【請求項２】
前記名称は、自通信接続装置に固有の代表名称と当該接続先装置の個別名称とから構成されることを特徴とする請求項１に記載の通信接続装置。
【請求項３】
前記アドレス記憶手段が記憶するＩＰアドレスは、接続先装置が属する第２のＩＰネットワークで共用されるアドレスであることを特徴とする請求項２に記載の通信接続装置。
【請求項４】
前記アドレス記憶手段は、前記個別名称に対応付けて、当該接続先装置に割り当てられているポート番号を記憶することを特徴とする請求項３に記載の通信接続装置。
【請求項５】
前記アドレス記憶手段が保持する名称及びＩＰアドレスの登録を前記第１のＩＰネットワーク又は第２のＩＰネットワークを介して受け付け、前記アドレス記憶手段に当該登録内容を記録する登録手段を備えたことを特徴とする請求項１乃至請求項４のいずれかの項に記載の通信接続装置。
【請求項６】
ＩＰネットワークを介して通信接続する装置間の接続を中継する通信接続方法であって、
接続元装置から接続先装置の名称とともに接続要求を受信する過程と、
接続先装置に固有の名称と該接続先装置に割り当てられているＩＰアドレスを含む通信接続管理情報の中から、前記受信した名称に基づいて該当するＩＰアドレスを取得する過程と、
前記取得したＩＰアドレスを使用して当該接続先装置との間で接続処理を行い、当該接続元装置に接続応答を返す過程と、
を含むことを特徴とする通信接続方法。
【請求項７】
前記通信接続管理情報の登録を前記ＩＰネットワークを介して受け付け、当該登録内容を記録する過程をさらに含むことを特徴とする請求項６に記載の通信接続方法。
【請求項８】
ＩＰネットワークを介して通信接続する装置間の接続を中継する通信接続処理を行うためのコンピュータプログラムであって、
接続元装置から接続先装置の名称とともに接続要求を受信する処理と、
接続先装置に固有の名称と該接続先装置に割り当てられているＩＰアドレスを含む通信接続管理情報の中から、前記受信した名称に基づいて該当するＩＰアドレスを取得する処理と、
前記取得したＩＰアドレスを使用して当該接続先装置との間で接続処理を行い、当該接続元装置に接続応答を返す処理と、
をコンピュータに実行させることを特徴とするコンピュータプログラム。
【請求項９】
前記通信接続管理情報の登録を前記ＩＰネットワークを介して受け付け、当該登録内容を記録する処理をさらにコンピュータに実行させることを特徴とする請求項８に記載のコンピュータプログラム。
【発明の詳細な説明】
【０００１】
【発明の属する技術分野】
本発明は、インターネット等のＩＰネットワークを介して通信接続する装置間の接続を中継する通信接続装置および方法、並びにその通信接続装置をコンピュータを利用して実現するためのコンピュータプログラムに関する。
【０００２】
【従来の技術】
従来、端末がインターネットを介してサーバ等にアクセスする際には、ＤＮＳ（Ｄｏｍａｉｎ  Ｎａｍｅ  Ｓｙｓｔｅｍ）サーバにＦＱＤＮ（Ｆｕｌｌｙ  Ｑｕａｌｉｆｉｅｄ  Ｄｏｍａｉｎ  Ｎａｍｅ）を通知して該接続先のＩＰ（Ｉｎｔｅｒｎｅｔ  Ｐｒｏｔｏｃｏｌ）アドレスを取得している。また、ＮＡＴ（Ｎｅｔｗｏｒｋ  Ａｄｄｒｅｓｓ  Ｔｒａｎｓｌａｔｏｒ）は、インターネット上のグローバルＩＰアドレスとプライベートネットワーク上のプライベートＩＰアドレスを相互変換する。これにより、接続先のサーバがプライベートネットワーク内に在りプライベートＩＰアドレスを有していても、端末はインターネットを介して該サーバにアクセスすることができる（例えば、非特許文献１参照）。
【０００３】
【非特許文献１】
江▲崎▼浩監修，「要点チェック式インターネット用語辞典」，第１版，株式会社Ｉ＆Ｅ神藏研究所，２０００年９月１５日，ｐ．１４７−１５２
【０００４】
【発明が解決しようとする課題】
しかしながら、上述した従来のＤＮＳサーバを用いたネットワーク接続管理方法では、ドメイン登録された装置のＩＰアドレスや管理者情報等の各種ネットワーク接続管理情報がインターネット上で公開されるので、登録装置がサイバー攻撃等の不正アクセスの対象となる虞がある。
【０００５】
また、ＮＡＴを用いる場合には、グローバルＩＰアドレスとプライベートＩＰアドレスが１対１に対応付けられない。このため、プライベートネットワーク内の複数のプライベートアドレスをそれぞれ異なるポート番号に対応づけ、各ポート番号に各々対応する装置間で一つのグローバルアドレスを共用すると、インターネット側からグローバルアドレスとポート番号の組によりプライベートアドレスを指定することができるものの、ポート番号が同一の場合はＮＡＴを介してそれらの装置に個別にアクセスすることができないという問題がある。
【０００６】
近年、家庭内の装置をＬＡＮで接続し、それら装置にインターネットを介してアクセスすることが可能なホームネットワークが実現されつつある。このホームネットワークにおいては、特に、上記したセキュリティ及びＩＰアドレス利用上の制約が問題となっている。
【０００７】
本発明は、このような事情を考慮してなされたもので、その目的は、インターネットを介して接続される接続先装置の通信接続管理情報（ＩＰアドレスや管理者情報等）を公開することなく、接続先装置への通信接続を実現することができる通信接続装置および方法を提供することにある。
【０００８】
また、本発明は、その通信接続装置をコンピュータを利用して実現するためのコンピュータプログラムを提供することも目的とする。
【０００９】
【課題を解決するための手段】
上記の課題を解決するために、請求項１に記載の通信接続装置は、第１のＩＰネットワークを介して通信接続する装置間の接続を中継する通信接続装置であって、接続先装置に固有の名称と該接続先装置に割り当てられているＩＰアドレスを対応付けて記憶するアドレス記憶手段と、接続元装置から接続要求された接続先装置の名称に基づいて前記アドレス記憶手段の該当するＩＰアドレスを取得するアドレス解決手段と、前記アドレス解決手段により取得したＩＰアドレスを使用して当該接続先装置との間で接続処理を行い、当該接続元装置に接続応答を返す変換手段とを備えたことを特徴としている。
【００１０】
請求項２に記載の通信接続装置においては、前記名称は、自通信接続装置に固有の代表名称と当該接続先装置の個別名称とから構成されることを特徴とする。
【００１１】
請求項３に記載の通信接続装置においては、前記アドレス記憶手段が記憶するＩＰアドレスは、接続先装置が属する第２のＩＰネットワークで共用されるアドレスであることを特徴とする。
【００１２】
請求項４に記載の通信接続装置においては、前記アドレス記憶手段は、前記個別名称に対応付けて、当該接続先装置に割り当てられているポート番号を記憶することを特徴とする。
【００１３】
請求項５に記載の通信接続装置においては、前記アドレス記憶手段が保持する名称及びＩＰアドレスの登録を前記第１のＩＰネットワーク又は第２のＩＰネットワークを介して受け付け、前記アドレス記憶手段に当該登録内容を記録する登録手段を備えたことを特徴とする。
【００１４】
請求項６に記載の通信接続方法は、ＩＰネットワークを介して通信接続する装置間の接続を中継する通信接続方法であって、接続元装置から接続先装置の名称とともに接続要求を受信する過程と、接続先装置に固有の名称と該接続先装置に割り当てられているＩＰアドレスを含む通信接続管理情報の中から、前記受信した名称に基づいて該当するＩＰアドレスを取得する過程と、前記取得したＩＰアドレスを使用して当該接続先装置との間で接続処理を行い、当該接続元装置に接続応答を返す過程とを含むことを特徴としている。
【００１５】
請求項７に記載の通信接続方法においては、前記通信接続管理情報の登録を前記ＩＰネットワークを介して受け付け、当該登録内容を記録する過程をさらに含むことを特徴とする。
【００１６】
請求項８に記載のコンピュータプログラムは、ＩＰネットワークを介して通信接続する装置間の接続を中継する通信接続処理を行うためのコンピュータプログラムであって、接続元装置から接続先装置の名称とともに接続要求を受信する処理と、接続先装置に固有の名称と該接続先装置に割り当てられているＩＰアドレスを含む通信接続管理情報の中から、前記受信した名称に基づいて該当するＩＰアドレスを取得する処理と、前記取得したＩＰアドレスを使用して当該接続先装置との間で接続処理を行い、当該接続元装置に接続応答を返す処理とをコンピュータに実行させることを特徴としている。
【００１７】
請求項９に記載のコンピュータプログラムにおいては、前記通信接続管理情報の登録を前記ＩＰネットワークを介して受け付け、当該登録内容を記録する処理をさらにコンピュータに実行させることを特徴とする。
これにより、前述の通信接続装置がコンピュータを利用して実現できるようになる。
【００１８】
【発明の実施の形態】
以下、図面を参照し、本発明の一実施形態について説明する。
図１は、本発明の一実施形態による通信接続装置１を備えた通信システム全体の構成例を示すブロック図である。図１において、通信接続装置１とＤＮＳサーバ２はインターネット３（第１のＩＰネットワーク）に接続されている。ホームネットワーク４（第２のＩＰネットワーク）は、監視カメラ４ａ、ビデオ４ｂ、冷蔵庫４ｃ等のＩＰ通信機能を有する各種情報家電機器とこれら各機器を接続するＬＡＮ（図示せず）とから構成されている。このＬＡＮはインターネット３に接続されている。そして、インターネット３を介してホームネットワーク４に属する情報家電機器にアクセスすることが可能となっている。
【００１９】
移動端末５はＩＰ通信機能を有している。移動端末５は移動通信網６を介してインターネット３に接続することができる。そして、さらにインターネット３を介して通信接続装置１、ＤＮＳサーバ２や各種サーバ等にアクセスすることが可能である。
【００２０】
通信接続装置１は、移動端末５（接続元装置）からホームネットワーク４の情報家電機器（接続先装置）への接続要求を受け、それら装置間の通信接続を中継する。
【００２１】
図２は、図１に示す通信接続装置１の構成を示すブロック図である。図２において、接続元データ送受信部１１はインターネット３に接続されており、接続元装置との間でデータを送受信する。接続先データ送受信部１２はインターネット３に接続されており、接続先装置との間でデータを送受信する。
【００２２】
変換部１３は、接続元データ送受信部１１により受信した接続元装置からの接続先装置への接続要求を接続先データ送受信部１２により接続先装置へ送信する。この接続要求の中継時には、変換部１３は、名前・アドレス解決部１４により取得した接続先装置のＩＰアドレスを宛先アドレスに使用する。また、変換部１３は、接続先データ送受信部１２により受信した接続先装置からの接続元装置への接続応答を接続元データ送受信部１１により接続元装置へ送信する。この接続応答の中継時には、変換部１３は、自装置１のＩＰアドレスを送信元アドレスに使用する。
【００２３】
名前・アドレス解決部１４は、接続元装置から接続要求された接続先装置の名称に基づいて、名前・アドレス記憶部１５に記憶されている該当のＩＰアドレスを取得し、変換部１３へ通知する。
名前・アドレス記憶部１５は、接続先装置の通信接続管理情報を記憶している。通信接続管理情報は、接続先装置に固有の名称と該接続先装置に割り当てられているＩＰアドレスと該接続先装置に割り当てられているポート番号を含む。図３に、名前・アドレス記憶部１５に記憶されている通信接続管理情報の構成例を示す。なお、図３に示す代表名称や個別名称、ポート番号等の具体例は便宜上のものである。
【００２４】
図３において、代表名称「ｗｗｗ．ｈｏｍｅｎｅｔ．ｃｏｍ」は、自通信接続装置１に固有のＦＱＤＮ形式の名称である。そして、ホームネットワーク４に属する各接続先装置の個別名称、ＩＰアドレス、ポート番号が該代表名称「ｗｗｗ．ｈｏｍｅｎｅｔ．ｃｏｍ」に対応付けられている。個別名称は接続先装置の個別の名称であり、ＩＰアドレス及びポート番号は該接続先装置に割り当てられているものである。接続先装置の名称は、代表名称と個別名称から構成される。例えば、監視カメラ４ａの名称は「ｗｗｗ．ｈｏｍｅｎｅｔ．ｃｏｍ／ｃａｍｅｒａ」である。また、監視カメラ４ａのＩＰアドレスは「ｘ．ｙ．ｚ．ｗ」、ポート番号は「６４０００」である。また、ビデオ４ｂの名称は「ｗｗｗ．ｈｏｍｅｎｅｔ．ｃｏｍ／ｖｉｄｅｏ」であり、ＩＰアドレスは「ａ．ｂ．ｃ．ｄ」、ポート番号は「６５０００」である。
【００２５】
ユーザ・パスワード記憶部１６は、ユーザ認証用のユーザＩＤとそのパスワードを記憶している。
名前・アドレス記憶部１５は、名前・アドレス解決部１４と名前・アドレス登録部１８からそれぞれアクセス可能である。また、ユーザ・パスワード記憶部１６は、名前・アドレス登録部１８からアクセス可能である。
【００２６】
名前・アドレス登録要求受信部１７は、インターネット３に接続されており、登録者端末との間でデータを送受信し、名前・アドレス記憶部１５に保持する通信接続管理情報の登録を受け付ける。
名前・アドレス登録部１８は、名前・アドレス登録要求受信部１７により受信した登録要求に基づいてその登録内容を名前・アドレス記憶部１５に記録する。
【００２７】
次に、上記図２の通信接続装置１の動作を説明する。
初めに、図４を参照して、登録者が通信接続管理情報を登録する際の動作を説明する。図４は、図１に示す通信システムにおける通信接続管理情報の登録に係る処理の流れを示すシーケンスチャートである。
【００２８】
図４において、登録者が移動端末５により通信接続装置１に接続する。この接続時には、移動端末５は名前・アドレス登録要求受信部１７とデータを送受信する。次いで、登録者は移動端末５により名前・アドレス登録要求を行う。この要求は移動端末５から通信接続装置１に送信され、名前・アドレス登録要求受信部１７を介して名前・アドレス登録部１８により受信される（ステップＳ１）。ここで、名前・アドレス登録部１８は、ユーザ・パスワード記憶部１６のユーザＩＤとそのパスワードに基づいて当該登録者のユーザ認証を行う（この処理は図示せず）。
【００２９】
この認証完了後、名前・アドレス登録部１８は、受信した登録内容（通信接続管理情報）を名前・アドレス記憶部１５に出力する（ステップＳ２）。名前・アドレス記憶部１５は、入力された通信接続管理情報を記憶し、登録完了通知を名前・アドレス登録部１８に返す（ステップＳ３）。名前・アドレス登録部１８は、登録完了通知を受け取ると、名前・アドレス登録要求受信部１７により登録者の移動端末５に登録完了通知を送信する（ステップＳ４）。
【００３０】
次に、図５を参照して、ユーザが移動端末５により接続先装置に通信接続する際の動作を説明する。図５は、図１に示す通信システムにおける通信接続処理の流れを示すシーケンスチャートである。この実施例では、接続先装置としてビデオ４ｂを例に挙げて説明する。ビデオ４ｂの名称は図３に示すように「ｗｗｗ．ｈｏｍｅｎｅｔ．ｃｏｍ／ｖｉｄｅｏ」であり、そのＩＰアドレスは「ａ．ｂ．ｃ．ｄ」、ポート番号は「６５０００」である。
【００３１】
図５において、ユーザが移動端末５によりビデオ４ｂの名称「ｗｗｗ．ｈｏｍｅｎｅｔ．ｃｏｍ／ｖｉｄｅｏ」を入力し、通信接続を指示する。この指示により移動端末５は、ＤＮＳサーバ２にＦＱＤＮ「ｗｗｗ．ｈｏｍｅｎｅｔ．ｃｏｍ」のアドレス解決要求を送信する（ステップＳ１１）。
【００３２】
ＤＮＳサーバ２には予め、ＦＱＤＮ「ｗｗｗ．ｈｏｍｅｎｅｔ．ｃｏｍ」に対応するＩＰアドレスとして、通信接続装置１のアドレスが登録されている。これにより、ＤＮＳサーバ２は受信したアドレス解決要求の応答として、通信接続装置１のＩＰアドレス（Ａ１）を移動端末５に送信する（ステップＳ１２）。
【００３３】
次いで、移動端末５は、受信したＩＰアドレス（Ａ１）を宛先アドレスに使用して、ＵＲＬ「ｈｔｔｐ：／／ｗｗｗ．ｈｏｍｅｎｅｔ．ｃｏｍ／ｖｉｄｅｏ」への接続要求を送信する。この要求は、通信接続装置１の接続元データ送受信部１１を介して変換部１３により受信される（ステップＳ１３）。変換部１３は、受信したＵＲＬに含まれるビデオ４ｂの名称「ｗｗｗ．ｈｏｍｅｎｅｔ．ｃｏｍ／ｖｉｄｅｏ」を名前・アドレス解決部１４に通知して名前・アドレス解決を要求する（ステップＳ１４）。
【００３４】
次いで、名前・アドレス解決部１４は、名前・アドレス記憶部１５から該当するＩＰアドレス「ａ．ｂ．ｃ．ｄ」及びポート番号「６５０００」を取得し、変換部１３に返答する（ステップＳ１５）。
【００３５】
次いで、変換部１３は、その通知されたＩＰアドレス「ａ．ｂ．ｃ．ｄ」及びポート番号「６５０００」を宛先アドレス及びポート番号として使用し、移動端末５からの接続要求を接続先データ送受信部１２により転送する（ステップＳ１６）。この接続要求は、ホームネットワーク４のビデオ４ｂにより受信される。そして、ビデオ４ｂはその接続応答を返信する（ステップＳ１７）。この接続応答は、接続先データ送受信部１２を介して変換部１３により受信される。
【００３６】
次いで、変換部１３は、受信した接続応答を、自装置１のＩＰアドレス（Ａ１）を送信元アドレスに使用して、接続元データ送受信部１１により移動端末５へ転送する。これにより、移動端末５はビデオ４ｂとの間で通信接続することができる。そして、ユーザは、移動端末５によりビデオ録画の予約の設定や解除等を外出先などから行うことができる。
【００３７】
上述したように本実施形態によれば、接続元装置は通信接続装置のＩＰアドレスを使用して通信接続装置に、接続先装置の名称を通知し、該接続先装置への接続要求を行う。そして、通信接続装置が接続先装置の名称に基づいて接続元装置と接続先装置の通信接続を中継する。これにより、接続先装置の通信接続管理情報（ＩＰアドレスや管理者情報等）を公開することなく、接続先装置への通信接続を実現することができる。
【００３８】
さらに、通信接続装置が接続先装置のポート番号を該接続先装置の個別名称に対応付けて記憶するので、接続先装置のポート番号宛てに通信接続することができる。これにより、接続先装置が属するＩＰネットワーク（ホームネットワーク）において一つのポート番号を利用するアプリケーションに複数のＩＰアドレスを持つ装置が割り当てられている場合に、各ＩＰアドレスに対応する装置に個別にアクセスすることが可能となる。
この結果、セキュリティ及びＩＰアドレス利用上の制約の問題が解決され、ホームネットワークの普及促進に寄与するという優れた効果が得られる。
【００３９】
なお、上述した実施形態では、複数の接続先装置が一つのＩＰアドレスを共用し、ポート番号により接続先を特定する場合を例にあげて説明したがこれに限定されない。ホームネットワーク１において各情報家電機器（接続先装置）に個別のＩＰアドレスが割り当てられている場合にも、同様に適用可能である。この場合には、名前・アドレス記憶部１５に、接続先装置に固有の名称と該接続先装置に割り当てられているＩＰアドレスを対応付けて記憶すればよい。
【００４０】
なお、上述した実施形態では、接続元装置として移動端末を例に挙げ、移動通信網を介してインターネットへ接続する構成例で説明したが、これに限定されない。例えば、パーソナルコンピュータ等の固定の端末を接続元装置として利用し、公衆電話網等の有線回線を介してインターネットに接続するようにしてもよい。
【００４１】
なお、上述した実施形態では、第１のＩＰネットワークとしてインターネットを、また、第２のＩＰネットワークとしてホームネットワークを、それぞれ例に挙げて説明したが、本発明におけるＩＰネットワークはこれらに限定されず、ＩＰに基づいて通信するネットワークであれば、グローバルアドレスが使用されるネットワークであっても、あるいはプライベートアドレスが使用されるネットワークであってもよい。例えば、ＩＰｖ４のグローバルアドレス、ＩＰｖ４のプライベートアドレス、ＩＰｖ６アドレスなど、いずれのアドレスを使用するものであってもよい。
【００４２】
また、変換部１３が通信接続処理の一つとしてプロトコル変換を行うようにしてもよい。例えば、ＩＰｖ４のアドレスを使用するネットワークとＩＰｖ６のアドレスを使用するネットワーク間の通信接続を中継する場合には、ＩＰｖ４とＩＰｖ６のアドレス相互変換を行うようにする。
【００４３】
また、図２に示す通信接続装置１が行う各処理を実現するためのプログラムをコンピュータ読み取り可能な記録媒体に記録して、この記録媒体に記録されたプログラムをコンピュータシステムに読み込ませ、実行することにより通信接続処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００４４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４５】
以上、本発明の実施形態を図面を参照して詳述してきたが、具体的な構成はこの実施形態に限られるものではなく、本発明の要旨を逸脱しない範囲の設計変更等も含まれる。
【００４６】
【発明の効果】
以上説明したように、本発明によれば、接続元装置により通信接続装置のＩＰアドレスを使用して通信接続装置に接続先装置の名称を通知し、該接続先装置への接続要求が行われる。そして、通信接続装置が接続先装置の名称に基づいて接続元装置と接続先装置の通信接続を中継する。これにより、接続先装置の通信接続管理情報（ＩＰアドレスや管理者情報等）を公開することなく、接続先装置への通信接続を実現することができる。
【図面の簡単な説明】
【図１】本発明の一実施形態による通信接続装置１を備えた通信システム全体の構成例を示すブロック図である。
【図２】図１に示す通信接続装置１の構成を示すブロック図である。
【図３】名前・アドレス記憶部１５に記憶されている通信接続管理情報の構成例を示す図である。
【図４】図１に示す通信システムにおける通信接続管理情報の登録に係る処理の流れを示すシーケンスチャートである。
【図５】図１に示す通信システムにおける通信接続処理の流れを示すシーケンスチャートである。
【符号の説明】
１…通信接続装置、２…ＤＮＳサーバ、３…インターネット、４…ホームネットワーク、４ａ…監視カメラ、４ｂ…ビデオ、４ｃ…冷蔵庫、５…移動端末、６…移動通信網、１１…接続元データ送受信部、１２…接続先データ送受信部、１３…変換部、１４…名前・アドレス解決部、１５…名前・アドレス記憶部、１６…ユーザ・パスワード記憶部、１７…名前・アドレス登録要求受信部、１８…名前・アドレス登録部
【図１】
2004228670.tif 000003
【図２】
2004228670.tif 000004
【図３】
2004228670.tif 000005
【図４】
2004228670.tif 000006
【図５】
2004228670.tif 000007